(57)【要約】【課題】安価な手段でアース構成を実現し、モーター磁気音を低減する回転ヘッドドラム装置を提供することを目的とする。【解決手段】Ｒ１＜Ｒ２＜（φＤ１）／２＜Ｒ２＋（φＤ２）／２，（φＤ１）／２−Ｒ２≦０．９の関係が成り立つよう、各寸法を設定する。これにより、発生した静電気をアースするための部品を削減しコストダウンを図り、かつモーターより発生する磁気音を低減できる回転ヘッドドラム装置を得ることができる。【選択図】図１
2005174513.tif 000002
【特許請求の範囲】
【請求項１】
磁気テープを案内する固定ドラムと、前記固定ドラムに同軸的に固定された固定軸と、前記固定軸に挿嵌された一対の玉軸受けを上下端部に有し、前記固定ドラムに対し同軸的に回転し、かつ少なくとも一対の磁気ヘッドを有する回転ドラムと、前記一対の玉軸受けの内、前記回転ドラム上側に位置する玉軸受けの内輪上端面と接触し、前記固定軸に固定されたボスと、前記回転ドラムの上面に固定され、前記固定ドラムに対し同軸的に回転するモーターローターユニットと、前記固定軸と同軸的に配設され、前記ボスの上面にビス止めされたモーターステーターユニットと、前記ボスに設けられた軸方向の貫通穴に挿入され、前記回転ドラム上側に位置する玉軸受けの外輪上端面と接触するアースコンタクトと、前記アースコンタクトの上部に位置し、前記アースコンタクトを押圧するバネから成り、前記モーターステーターユニットの下面部と当接する前記ボスの上面部の最外径をφＤ１、前記ボスに設けられた前記モーターステーターユニット固定用ビス穴中心から前記固定軸中心までの距離をＲ１、前記ボスに設けられた貫通穴中心から固定軸中心までの距離をＲ２、前記ボスの貫通穴の直径をφＤ２とした時に、
Ｒ１＜Ｒ２＜（φＤ１）／２＜Ｒ２＋（φＤ２）／２
及び、
（φＤ１）／２−Ｒ２≦０．９
が成り立つことを特徴とする回転ヘッドドラム装置。
【発明の詳細な説明】
【技術分野】
【０００１】
本発明は、ビデオテープレコーダー等に用いることができる回転ヘッドドラム装置に関するものである。
【背景技術】
【０００２】
従来の回転ヘッドドラム装置は、玉軸受けに予圧を付加するボス上面にモーターステターユニットが設けられた構成を有している。（例えば特許文献１参照）。
【０００３】
以下に従来の回転ヘッドドラム装置について説明する。
【０００４】
図５は従来のビデオテープレコーダーに用いられる回転ヘッドドラム装置の断面図を示すものである。図５を説明すると、１は磁気テープ（図示せず）を案内する固定ドラム、２は固定ドラム１に同軸的に固定された固定軸、３は固定軸２に挿嵌された一対の後述する玉軸受け４ａ、４ｂを上下端部に有し、少なくとも一対の後述する磁気ヘッド５を有する回転ドラム、４ａは回転ドラム３上側に設けられた玉軸受け、４ｂは回転ドラム３下側に設けられた玉軸受け、５は磁気ヘッド、６は玉軸受け４ａの上部に位置し、回転ドラム３に圧入固定されたキャップ、７は玉軸受け４ａ、４ｂに予圧を付加するために玉軸受け４ａの内輪上端面と接触し、固定軸２に固定されたボス、８は回転ドラム３の上面に固定され、固定ドラム１に対して同軸的に回転するモーターローターユニット、９は固定軸２と同軸的に配設され、ボス７の上面にビス止めされたモーターステーターユニット、１０はボス７に設けられた軸方向の貫通穴７ａに挿入され、キャップ６の上面と接触するアースコンタクト、１１はアースコンタクト１０を押圧するバネである。
【０００５】
以上のように構成された従来の回転ヘッドドラム装置について、以下にその動作について説明する。
【０００６】
磁気ヘッド５、モーターローターユニット８を含む回転ドラム３が回転することによって、磁気テープ（図示せず）に映像・音声等の情報が記録される。また、記録済みの磁気テープ（図示せず）であれば、記録情報を再生することができる。
【０００７】
さらに、磁気テープ（図示せず）と回転ドラム３の摺動により発生した静電気は、回転ドラム３→キャップ６→アースコンタクト１０→ボス７→固定軸２→固定ドラム１→シャーシ（図示せず）という経路でアースされる。
【特許文献１】特開平０８−１２４１３１号公報
【発明の開示】
【発明が解決しようとする課題】
【０００８】
しかしながら上記の従来の構成では、図５に示すように、磁気テープ（図示せず）と回転ドラム３の摺動により発生した静電気をアースするためには、キャップ６の部品が必要で、かつキャップ６を回転ドラム３に圧入するという組立工程が必要であった。
【０００９】
これを解決するためには、キャップ６を廃止してアースコンタクト１０を玉軸受け４ａの外輪上端面と接触させる構成にすれば良いが、そのためには固定軸２中心からアースコンタクト１０が挿入されるボス７の貫通穴７ａを外径側に移動する必要がある。そうすると、ボス７の外径が大きくなり、モーターステーターユニット９とボス７上面の接触面積が大きくなり、モーターローターユニット８とモーターステーターユニット９の吸引・反発によるモーター磁気音が大きくなるという問題点を有していた。その原理について以下図６を用いて説明する。
【００１０】
図６は回転ヘッドドラム装置の上面図であり、モータステータユニット９近傍の要部である。図示のように、モータステータユニット９は、２個のビス１２によりボス７に締結固定されている。また、２個のビス１２からそれぞれ円周方向約９０度の位置にアースコンタクト１０が設けられている。
【００１１】
本構成において、回転ドラム３が回転すると、モーターローターユニット８とモーターステーターユニット９の吸引・反発により、モーターステーターユニット９が、２個のビス１２を軸に上下方向に振動する。すると、モーターステータユニット９とボス７とが断続的に当接し、磁気音が発生する。
【００１２】
本発明は上記従来の問題点を解決するもので、発生した静電気をアースするための部品を削減しコストダウンを図り、かつモーターより発生する磁気音を低減する回転ヘッドドラム装置を提供することを目的とする。
【課題を解決するための手段】
【００１３】
この目的を達成するために本発明の回転ヘッドドラム装置は、磁気テープを案内する固定ドラムと、前記固定ドラムに同軸的に固定された固定軸と、前記固定軸に挿嵌された一対の玉軸受けを上下端部に有し、前記固定ドラムに対し同軸的に回転し、かつ少なくとも一対の磁気ヘッドを有する回転ドラムと、前記一対の玉軸受けの内、前記回転ドラム上側に位置する玉軸受けの内輪上端面と接触し、前記固定軸に固定されたボスと、前記回転ドラムの上面に固定され、前記固定ドラムに対し同軸的に回転するモーターローターユニットと、前記固定軸と同軸的に配設され、前記ボスの上面にビス止めされたモーターステーターユニットと、前記ボスに設けられた軸方向の貫通穴に挿入され、前記回転ドラム上側に位置する玉軸受けの外輪上端面と接触するアースコンタクトと、前記アースコンタクトの上部に位置し、前記アースコンタクトを押圧するバネから成り、前記モーターステーターユニットの下面部と当接する前記ボスの上面部の最外径をφＤ１、前記ボスに設けられた前記モーターステーターユニット固定用ビス穴中心から前記固定軸中心までの距離をＲ１、前記ボスに設けられた貫通穴中心から固定軸中心までの距離をＲ２、前記ボスの貫通穴の直径をφＤ２とした時に、Ｒ１＜Ｒ２＜（φＤ１）／２＜Ｒ２＋（φＤ２）／２，（φＤ１）／２−Ｒ２≦０．９が成り立つという構成を有している。
【００１４】
この構成によって、発生した静電気をアースするための部品を削減しコストダウンを図り、かつモーターより発生する磁気音を低減する回転ヘッドドラム装置が得られる。
【発明の効果】
【００１５】
以上のように本発明は、発生した静電気をアースするための部品を削減しコストダウンを図り、かつモーターより発生する磁気音を低減できるという優れた効果が得られる。
【発明を実施するための最良の形態】
【００１６】
本発明の請求項１に記載の発明は、磁気テープを案内する固定ドラムと、前記固定ドラムに同軸的に固定された固定軸と、前記固定軸に挿嵌された一対の玉軸受けを上下端部に有し、前記固定ドラムに対し同軸的に回転し、かつ少なくとも一対の磁気ヘッドを有する回転ドラムと、前記一対の玉軸受けの内、前記回転ドラム上側に位置する玉軸受けの内輪上端面と接触し、前記固定軸に固定されたボスと、前記回転ドラムの上面に固定され、前記固定ドラムに対し同軸的に回転するモーターローターユニットと、前記固定軸と同軸的に配設され、前記ボスの上面にビス止めされたモーターステーターユニットと、前記ボスに設けられた軸方向の貫通穴に挿入され、前記回転ドラム上側に位置する玉軸受けの外輪上端面と接触するアースコンタクトと、前記アースコンタクトの上部に位置し、前記アースコンタクトを押圧するバネから成り、前記モーターステーターユニットの下面部と当接する前記ボスの上面部の最外径をφＤ１、前記ボスに設けられた前記モーターステーターユニット固定用ビス穴中心から前記固定軸中心までの距離をＲ１、前記ボスに設けられた貫通穴中心から固定軸中心までの距離をＲ２、前記ボスの貫通穴の直径をφＤ２とした時に、Ｒ１＜Ｒ２＜（φＤ１）／２＜Ｒ２＋（φＤ２）／２，（φＤ１）／２−Ｒ２≦０．９が成り立つという構成としたものであり、発生した静電気をアースするための部品を削減しコストダウンを図り、かつモーターより発生する磁気音を低減できるという作用を有する。
【００１７】
以下、本発明の実施の形態について、図１〜４を用いて説明する。
【００１８】
（実施の形態１）
図１は本発明の実施の形態１における回転ヘッドドラム装置の断面図を、図２は図１における要部拡大断面図を示すものである。
【００１９】
図１、図２を説明すると、２１は磁気テープ（図示せず）を案内する固定ドラムで、ビスなどの固定手段によりシャーシ（図示せず）に固定される。２２は固定ドラム２１に同軸的に固定された固定軸、２３は固定軸２２に挿嵌された一対の後述する玉軸受け２４ａ、２４ｂを上下端部に有し、少なくとも一対の後述する磁気ヘッド２５を有する回転ドラム、２４ａは回転ドラム２３上側に設けられた玉軸受け、２４ｂは回転ドラム２３下側に設けられた玉軸受け、２５は磁気ヘッド、２６は玉軸受け２４ａ、２４ｂに予圧を付加するために玉軸受け２４ａの内輪上端面と接触し、固定軸２２に固定されたボスで、後述するアースコンタクト２９とバネ３０が挿入される貫通穴２６ａと、後述するモーターステーターユニット２８をビス止めするためのビス穴２６ｂが設けられている。２７は回転ドラム２３の上面に固定され、固定ドラム２１に対して同軸的に回転するモーターローターユニット、２８は固定軸２２と同軸的に配設され、ボス２６の上面にビス止めされたモーターステーターユニット、２９は貫通穴２６ａに挿入され、玉軸受け２４ａの外輪上端面と接触するアースコンタクト、３０はアースコンタクト２９を押圧するバネである。
【００２０】
さらに、ボス２６に設けられたモーターステーターユニット２８と当接するボス２６の上面最外径をφＤ１、ボス２６に設けたビス穴２６ｂ中心と固定軸２２中心の距離をＲ１、ボスに設けた貫通穴２６ａ中心と固定軸２２中心の距離をＲ２、貫通穴２６ａの直径をφＤ２とした時、Ｒ１＜Ｒ２＜（φＤ１）／２＜Ｒ２＋（φＤ２）／２，（φＤ１）／２−Ｒ２≦０．９が成り立っている。
【００２１】
以上のように構成された本実施の形態の回転ヘッドドラム装置について、その動作を説明する。
【００２２】
まず、磁気ヘッド２５、モーターローターユニット２７を含む回転ドラム２３が回転することによって、磁気テープ（図示せず）に映像・音声等の情報が記録される。また、記録済みの磁気テープ（図示せず）であれば、記録情報を再生することができることは従来例と同様である。
【００２３】
また、磁気テープ（図示せず）と回転ドラム２３の摺動により発生した静電気は、回転ドラム２３→玉軸受け２４ａ→アースコンタクト２９→ボス２６→固定軸２２→固定ドラム２１→シャーシ（図示せず）という経路でアースされる。したがって、静電気の経路に存在する部品は、導電性のあるものが用いられる。
【００２４】
さらに、
Ｒ１＜Ｒ２＜（φＤ１）／２
という関係より、上端面の半径（φＤ１）／２はビス穴２６ｂのピッチ円半径Ｒ１、及び貫通穴２６ａのピッチ円半径Ｒ２より大きく設定しているため、ボス２６は、外形形状加工後この外周を基準として貫通穴２６ａ、ビス穴２６ｂの穴明け加工が可能である。
【００２５】
また、アースコンタクト２９を玉軸受け２４ａの外輪上端面に接触させるため、従来例と比較して貫通穴２６ａは外径側に移動させる必要がある。そうすると、ボス２６の外径を増加させる必要があり、モーターステーターユニット２８の下面部と当接するボス２６の上面部の最外径φＤ１が増加し、接触面積が増加することになる。モーターステータユニット２８の下面部とボス２６との接触面積が増加すると、前述の従来技術課題に記載したように、モーターステータユニット２８とボス２６との間で磁気音が発生する。
【００２６】
図３は、φＤ１と回転ヘッドドラム装置回転音（前述の磁気音に加えて、玉軸受け２４ａ及び２４ｂなどで発生する音も加えたもので、回転ヘッドドラム装置全体から発する音のことである）の関係を示すもので、図示のようにφＤ１が大きくなると、回転ヘッドドラム装置の回転音は大きくなる関係にあり、これはモーターステーターユニット２８の下面部と当接するボス２６の上面部の最外径φＤ１が大きくなることによる接触面積の増加で、モーターローターユニット２７とモーターステーターユニット２８の吸引・反発によるモーター磁気音が大きくなる。
【００２７】
また、図４は（φＤ１）／２−Ｒ２と回転ヘッドドラム装置回転音の関係を示すもので、市場実績より（φＤ１）／２−Ｒ２の値が０．９を越えるとモーター磁気音が増加することにより回転ヘッドドラム装置の回転音が耳障りになる。そこで貫通穴２６ａとビス穴２６ｂの穴開け加工と図３及び図４の関係から、
Ｒ１＜Ｒ２＜（φＤ１）／２＜Ｒ２＋（φＤ２）／２
及び、
（φＤ１）／２−Ｒ２≦０．９
という関係が成り立つように各寸法を設定し、モーター磁気音を低減し、したがって回転ヘッドドラム装置の回転音を抑制している。
【００２８】
以上のように本実施の形態によれば、発生した静電気をアースするための部品を削減しコストダウンを図り、かつモーターより発生する磁気音を低減できる回転ヘッドドラム装置を得ることができる。
【産業上の利用可能性】
【００２９】
本発明にかかる回転ヘッドドラム装置は、ビデオテープレコーダー等として有用であり、特に安価な手段でアース構成を実現し、モーター磁気音を低減することに適している。
【図面の簡単な説明】
【００３０】
【図１】本発明の実施の形態１における回転ヘッドドラム装置の断面図
【図２】同実施の形態における図１の要部拡大断面図
【図３】φＤ１と回転ヘッドドラム装置回転音の関係を示すグラフ
【図４】（φＤ１）／２−Ｒ２と回転ヘッドドラム装置回転音の関係を示すグラフ
【図５】従来の回転ヘッドドラム装置の断面図
【図６】回転ヘッドドラム装置の要部上面図
【符号の説明】
【００３１】
２１    固定ドラム
２２    固定軸
２３    回転ドラム
２４ａ    玉軸受け
２４ｂ    玉軸受け
２５    磁気ヘッド
２６    ボス
２６ａ    貫通穴
２６ｂ    ビス穴
２７    モーターローターユニット
２８    モーターステーターユニット
２９    アースコンタクト
３０    バネ
φＤ１    モーターステーターユニット２８と当接するボス２６の上面最外径
φＤ２    貫通穴２６ａの直径
Ｒ１    ビス穴２６ｂ中心と固定軸２２中心の距離
Ｒ２    貫通穴２６ａ中心と固定軸２２中心の距離
【図１】
2005174513.tif 000003
【図２】
2005174513.tif 000004
【図３】
2005174513.tif 000005
【図４】
2005174513.tif 000006
【図５】
2005174513.tif 000007
【図６】
2005174513.tif 000008